(57)【特許請求の範囲】
【請求項１】
相対的に浮動するようにコネクタ装置（２８、２８Ａ、２８Ｂ）が基板（３４）に実装されるフローティング実装の電気コネクタ装置において、
上記コネクタ装置（２８、２８Ａ、２８Ｂ）は、基板（３４）に実装されるコネクタハウジング（５４）と、上記コネクタハウジング（５４）の両側に形成され、基板（３４）に対してほぼ垂直に延びる細長い固定ポスト取付溝部（７０）と、上記固定ポスト取付溝部（７０）に取付けられる細長い固定ポスト（７２）と、上記固定ポスト（７２）を基板（３４）に締め付けて固定するための固定具（７４）とを備え、
上記固定ポスト（７２）は、両端に大きなヘッド（７８）を有すると共に、大きなヘッド（７８）間の長さが上記固定ポスト取付溝部（７０）より長く、上記コネクタハウジング（５４）は、基板（３４）にほぼ垂直な方向（Ｙ）に浮動でき、
上記固定ポスト取付溝部（７０）の基板（３４）にほぼ平行な方向の断面寸法は、固定ポスト（７２）の基板（３４）にほぼ平行な方向の断面寸法より大きく、上記コネクタハウジング（５４）は、基板（３４）にほぼ平行な方向に浮動でき、
さらに、上記固定ポスト取付溝部（７０）は、固定ポスト（７２）の基板（３４）にほぼ平行な方向の断面寸法より若干狭い片側に開いた限られた口（８４）を備え、上記固定ポスト（７２）は、固定ポスト取付溝部（７０）の限られた口（８４）を越えて溝の中にスナップ嵌合され、コネクタハウジング（５４）とのサブ組立体を構成するフローティング実装の電気コネクタ装置。
【請求項２】
上記固定ポスト取付溝部（７０）及び固定ポスト（７２）の断面寸法は、コネクタ装置（２８、２８Ａ、２８Ｂ）の嵌合軸（Ａ）にほぼ平行で且つ基板（３４）にほぼ平行な方向（Ｚ）においてほぼ等しく、コネクタハウジング（５４）は、その方向（Ｚ）において浮動が防止される請求項１に記載のフローティング実装の電気コネクタ装置。
【請求項３】
上記固定ポスト（７２）は、内部にネジ（８０）が切られた端を基板（３４）側に有し、上記固定具（７４）は、外部にネジが切られたボルトより成り、ボルトより成る固定具（７４）を基板の下から基板の穴を経て固定ポスト（７２）の端から挿入し、固定ポスト（７２）のネジ（８０）に締付けて成る請求項１に記載のフローティング実装の電気コネクタ装置。
【請求項４】
上記固定ポスト（７２）は、固定ポスト（７２）を基板（３４）に対して容易に締め付けるように固定ポスト（７２）を保持するために、基板（３４）から離れた側の端にソケット（８２）を有する請求項１に記載のフローティング実装の電気コネクタ装置。
【請求項５】
上記固定ポスト取付溝部（７０）の下端（９０）は、上記固定ポスト（７２）の下端の大きなヘッド（７８）を受け入れる窪み（９２）を備え、コネクタハウジング（５４）の基板（３４）にほぼ垂直な方向（Ｙ）への浮動が、固定ポスト（７２）の上端の大きなヘッド（７８）と基板（３４）の上面との間で行われる請求項１記載のフローティング実装の電気コネクタ装置。
【請求項６】
少なくとも一対のコネクタハウジング（５４）が基板（３４）上に互いに上下に積層され、上記細長い固定ポスト（７２Ａ）は、一対のコネクタハウジング（５４）の垂直方向に整列された固定ポスト取付溝部（７０）に取り付けられるに充分な長さを備え、一対のコネクタハウジング（５４）の垂直方向に整列された固定ポスト取付溝部（７０）の各々とスナップ嵌合すると共に、一対のコネクタハウジング（５４）を上下に離間関係で積層する請求項１に記載のフローティング実装の電気コネクタ装置。
【請求項７】
上記細長い固定ポスト（７２Ａ）は、一対のコネクタハウジング（５４）を互いに離間させる手段を成すフランジ（９６）を含む請求項６に記載のフローティング実装の電気コネクタ装置。
【請求項８】
少なくとも一対のコネクタハウジング（５４）が基板（３４）上に互いに上下に積層され、上記細長い固定ポスト（７２）は、基板（３４）に固定され、基板（３４）に隣接して下部のコネクタハウジング（５４）を実装する第１の固定ポスト（７２）と、基板（３４）に固定されて下部のコネクタハウジング（５４）の上に延びるブリッジブラケット（９８）に固定され、ブリッジブラケット（９８）の上に上部のコネクタハウジング（５４）を実装する第２の細長い固定ポスト（７２）より成る請求項１に記載のフローティング実装の電気コネクタ装置。
【発明の詳細な説明】
【０００１】
【発明の属する技術分野】
本発明は、一般に、コネクタ装置に係り、より詳細には、相対的に浮動するように１つ以上のコネクタ装置を基板に実装するためのシステムに係る。
【０００２】
【従来の技術】
光ファイバケーブルを終端すると共に、ケーブルを他のケーブル又は他の光ファイバ送信装置に容易に接続するために、種々様々な設計の光ファイバコネクタが使用されている。典型的な光ファイバコネクタは、その中に光ファイバを取り付けてセンタリングするためのフェルールを備えている。フェルールは、セラミックのような材料で作られる。フェルールは、成形プラスチックのような材料で作られたフェルールホルダー又は他のハウジング部品で包囲される。ハウジング又はフェルールホルダー内にはスプリングが配置されて、フェルールを前方に弾性バイアスし、相手コネクタ装置の別のファイバ取り付けフェルールに係合させる。
【０００３】
一対の光ファイバコネクタ、或いはコネクタと別の光ファイバ送信装置は、アダプターにおいてしばしば嵌合され、アダプターは、光ファイバをセンタリングして挿入ロスを低くする。アダプターは、コネクタ同士を互いに接続し、それらのカプセル化されたファイバが端−端接続されるようにする。アダプターは、インライン部品であってもよいし、又はパネルやバックプレーンや回路板等の開口に取り付けるように設計することもできる。
【０００４】
【発明が解決しようとする課題】
バックプレーン、マザーボード、ドーターボード等を含む用途において光ファイバコネクタ装置又は他のコネクタ装置を設計する場合に色々な問題に遭遇する。それらの問題は、コネクタ装置をプリント回路板のような基板に適切に且つ正確に配置し、嵌合中にコネクタの不整列を受け入れ、そしてシステムの種々の部品間に相対的な浮動を許すという問題や、位置に関連した同様の問題を含む。他の問題は、コネクタ装置の設計を簡単化するための努力に関するものである。本発明は、これらの問題を解消し、そしてこのようなコネクタ装置に種々の改善を与え、特に、これらコネクタの少なくとも一方に相対的な浮動を与えることにより嵌合中に両コネクタの不整列を受け入れることに向けられる。本発明は、光ファイバコネクタ装置において実施されるものとして説明するが、電気コネクタ装置のような他の形式のコネクタ装置にも等しく適用できる。
【０００５】
【課題を解決するための手段】
そこで、本発明の目的は、相対的に浮動するようコネクタ装置を基板に実装するための新規で且つ改良されたシステムを提供することである。
本発明の別の目的は、一対のコネクタ装置を基板上に互いに上下に実装するための新規で且つ改良されたシステムを提供することである。
本発明によるシステムは、基板に実装するためのコネクタハウジングを備え、コネクタハウジングの両側部の各々には少なくとも１つの細長い固定ポスト取付溝部が設けられている。この固定ポスト取付溝部は、基板に対して垂直に延び、そしてその片側に開いた細長い限定された口を有している。この固定ポスト取付溝部にはその限定された口を経て溝の中に細長い固定ポストがスナップ嵌合され、コネクタハウジングとのサブ組立体を構成する。基板には固定具が係合され、この固定具は、固定ポストを基板に対して締め付けて固定する。
【０００６】
固定ポスト取付溝部の基板にほぼ平行な方向の断面寸法は、固定ポストの基板にほぼ平行な方向の断面寸法より大きく、固定ポストがコネクタハウジングに対して浮動できるようにされる。それ故、固定ポストを基板に対して固定したときに、コネクタハウジングは、基板にほぼ平行な方向に基板に対して浮動できるように保たれる。又、固定ポストは、固定ポスト取付溝部より長くされ、基板に対してほぼ垂直な方向に基板に対してコネクタハウジングを浮動できるようにされる。
さらに、固定ポスト取付溝部及び固定ポストの断面寸法は、嵌合軸にほぼ平行な方向においてほぼ等しく、従って、コネクタハウジングがその方向に浮動することが防止される。
【０００７】
本発明の他の特徴として、固定ポストは、内部にネジが切られた端を基板付近に有し、そして固定具は、外部にネジが切られたボルトより成る。固定ポストは、大きなヘッドをその両端に有し、これらは、固定ポスト取付溝部の上端及び下端に係合し得る。固定ボルトは、基板に対して固定ポストを容易に締め付けるように固定ポストを保持するために、基板から離れた方の端にソケットを有する。
また、固定ポスト取付溝部の下端を窪ませ、固定ポストの下端の大きなヘッドを受け入れることで、コネクタハウジングの基板にほぼ垂直な方向への浮動を固定ポストの上端の大きなヘッドと基板の上面との間で行わせることもできる。
本発明の別の実施形態では、少なくとも一対のコネクタ装置が基板上に互いに上下に積層される。各コネクタ装置は、同じコネクタハウジングを含む。細長い固定ポストは、両コネクタハウジングの固定ポスト取付溝部にスナップ嵌合するに充分なほど長い。この固定ポストは、コネクタハウジングを互いに離間させるための手段を含む。
本発明の第３の実施形態でも、一対のコネクタ装置が基板上に互いに上下に積層される。細長い固定ポストは、第１の固定ポストと第２の固定ポストを含み、第１の固定ポストは、基板に隣接した下部のコネクタハウジングの固定ポスト取付溝部にスナップ係合される。さらに、基板にはブリッジブラケットが固定され、これは、下部コネクタ装置の上に延びる。このブリッジブラケットには、第２の細長い固定ポストが固定され、第２の固定ポストは、ブリッジブラケットの上で上部のコネクタハウジングの固定ポスト取付溝部にスナップ嵌合される。
【０００８】
【発明の実施の形態】
以下、添付図面を参照して、本発明の好適な実施形態を詳細に説明する。
添付図面の図１ないし７は、本発明の第１の実施形態を示し、図８ないし１３は、本発明の第２の実施形態を示し、そして図１４及び１５は、本発明の第３の実施形態を示す。先ず、図１ないし３を参照すれば、本発明の第１の実施形態によるコネクタシステム２４は、バックプレーンコネクタ装置２６と、これに嵌合し得るドーターボードコネクタ装置２８とを含む。バックプレーンコネクタ装置２６は、基板、パネル又はバックプレーン（ここに示す実施形態では、プリント回路板）３２の穴３０に取り付けられる。特に、バックプレーン３２は、ここでは「マザーボード」と考える。ドーターボードコネクタ装置２８は、ここで「ドーターボード」と考えられる第２のプリント回路板３４の上面に取り付けられる。
【０００９】
バックプレーンコネクタ装置２６は、マザーボード３２の穴３０に取り付けられるアダプター３６を備えている。４つの光ファイバコネクタモジュール３８が、マザーボード３２の前方から穴３０を経てアダプター３６に挿入される。各光ファイバコネクタモジュール３８は、マルチファイバケーブル４０に終端される。各マルチファイバケーブル４０は、複数の光ファイバを有するフラットケーブル即ち「リボン」ケーブルである。
ドーターボードコネクタ装置２８がドーターボード３４に取り付けられた後に、４つの光ファイバコネクタモジュール４２が、以下に述べるように、コネクタハウジング５４の後部に挿入される。各光ファイバコネクタモジュール４２は、マルチファイバケーブル４０と同様のフラットなマルチファイバケーブル４４に終端される。バックプレーンコネクタ装置２６とドーターボードコネクタ装置２８は、矢印Ａ（図１及び２）の方向に図３に示す嵌合状態へと嵌合することができ、この嵌合状態では、マルチファイバケーブル４０及び４４の光ファイバが機能的に接続される。
【００１０】
バックプレーンコネクタ装置２６のアダプター３６は、一対の固定具４６によりバックプレーン３２に固定される。このアダプター３６は、アダプターハウジング４８と、該ハウジングの両側に外方に離間された一対の柔軟なラッチアーム５０とを含む。又、アダプターハウジング４８は、一対の外方に突出する整列リブ５２をその両側に有している。
この点において、図１を参照すると、３つの交差する矢印「Ｘ」、「Ｙ」及び「Ｚ」が示されている。矢印「Ｘ」は、ドーターボード３４にほぼ平行な方向を示す。矢印「Ｙ」は、ドーターボード３４にほぼ垂直な方向を示す。矢印「Ｚ」は、ドーターボード３４にほぼ平行な方向であるが、矢印Ａで示されたコネクタ装置２６、２８の嵌合方向に対応する方向を示す。換言すれば、方向「Ｘ」は、コネクタ装置２６、２８の嵌合方向に対して横方向である。
【００１１】
図４は、ドーターボード３４の上に実装されるコネクタハウジング５４を備えたドーターボードコネクタ装置２８を示す。コネクタハウジング５４は、プラスチック等の絶縁材料で成形され、そして矢印Ｂの方向に光ファイバコネクタモジュール４２を受け入れるための４つの貫通路即ちリセプタクル５６を備えている。コネクタハウジング５４は、一対の前方に突出する整列フランジ５８をその両側に有し、それらの間にアダプター３６のアダプターハウジング４８（図１）が挿入される。アダプターハウジング４８の両側の整列リブ５２は、整列フランジ５８の内側の溝６０にのせられる。コネクタハウジング５４の両側には一対のラッチリブ６２も設けられ、これは、アダプター３６のラッチアーム５０により係合される。下部フランジ６４は、コネクタハウジング５４の下面６６と平らにコネクタハウジング５４の前方に突出する。このフランジ６４は、下部フック部分６４ａと、上部面取部分６４ｂとを有する。下部フック部分６４ａは、ドーターボード３４の前縁６８に重畳する。上部面取部分６４ｂは、アダプターハウジング４８の前方下縁により係合され、この下縁がコネクタ装置２６、２８の嵌合中にドーターボード３４の前縁６８に「ぶつかる」のを防止する。
【００１２】
本発明によれば、ドーターボードコネクタ装置２８のコネクタハウジング５４は、細長い固定ポスト取付溝部７０を両側に含み、これら固定ポスト取付溝部７０は、一対の細長い固定ポスト７２を受け入れる。以下に詳細に述べるように、固定ポスト７２は、固定ポスト取付溝部７０の溝の中にスナップ嵌合され、コネクタハウジング５４とのサブ組立体として搬送及び操作することができる。外部にネジが切られたボルト形態の一対の固定具７４が、以下に詳細に述べるように、ドーターボード３４の下から矢印Ｃの方向にドーターボード３４の穴７６を経て固定ポスト７２の下部へと挿入される。ボルト形態の固定具７４は、コネクタハウジング５４（即ちドーターボードコネクタ装置２８）がドーターボード３４に対して浮動する状態に保ちながら、固定ポスト７２をドーターボード３４に締め付ける。
【００１３】
図５Ａ−５Ｃに示すように、各固定ポスト７２は、細長いほぼ円柱状であり、一対の大きなヘッド７８を両端に含む。各固定ポスト７２の下端には、８０で示すように内部にネジが切られており、これは、ボルト形態の固定具７４を受け入れて、固定ポスト７２をドーターボード３４の上に締め付ける。各固定ポスト７２の上端には、六角形のソケット８２があり、これは、ボルト形態の固定具７４を固定ポスト７２にねじ込むとき又は必要に応じてドーターボードコネクタ装置２８をドーターボード３４から分解するときにレンチを受け入れて固定ポスト７２の回転を防止する。
一般的に、図６は、固定ポスト取付溝部７０内の固定ポスト７２が、コネクタハウジング５４、ひいては、ドーターボードコネクタ装置２８を、ドーターボード３４に対して、上記「Ｘ」方向に、即ちドーターボード３４にほぼ平行に且つコネクタ装置２６、２８の嵌合方向「Ｚ」にほぼ垂直に、いかに浮動させるかを示している。先ず、図６に示すように、各固定ポスト取付溝部７０は、ヘッド７８間の固定ポスト７２の直径より若干狭い限定された口８４を有する。それ故、固定ポスト７２は、固定ポスト取付溝部７０の限定された口８４を越えて固定ポスト取付溝部７０の溝の中へスナップ嵌合し、これにより、固定ポスト７２が落下せずにドーターボードコネクタ装置２８を容易に操作することができる。
【００１４】
図６に示すように、各固定ポスト７２の断面寸法は、「Ｚ」方向における固定ポスト取付溝部７０の内部の断面寸法にほぼ等しい。これは、コネクタ装置２６、２８の嵌合方向「Ｚ」にコネクタハウジング５４がドーターボード３４に対して浮動するのを防止する。他方、固定ポスト取付溝部７０の限定された口８４と底８６との間の断面寸法は、固定ポスト７２の断面寸法より大きい。この寸法差が矢印「Ｄ」で示されている。この寸法差により、コネクタハウジング５４、ひいては、ドーターボードコネクタ装置２８は、ドーターボード３４に対して、矢印「Ｘ」の方向に、即ちドーターボード３４にほぼ平行に且つコネクタ装置２６、２８の嵌合方向「Ｚ」にほぼ垂直に浮動することができる。
【００１５】
一般に、図７は、ドーターボード３４に対してほぼ垂直な方向に、ドーターボード３４に対してコネクタハウジング５４、ひいては、ドーターボードコネクタ装置２８が浮動する程度を示している。より詳細には、各固定ポスト７２は、各固定ポスト取付溝部７０より長いことが明らかである。各固定ポスト取付溝部７０は、上端８８及び下端９０を有する。各固定ポスト７２は、上述したように、大きなヘッド７８を有する。これらのヘッド７８は、各固定ポスト取付溝部７０の両端に当接する。しかしながら、図７から明らかなように、固定ポスト取付溝部７０の下端９０は９２において窪んでいて、固定ポスト７２の下端の大きなヘッド７８を受け入れ、これにより、コネクタハウジング５４は、固定ポスト７２の下端の大きなヘッド７８に常時係合するのではなく、ドーターボード３４の上面と平らになるように下方に移動することができる。いずれにせよ、大きなヘッド７８間の固定ポスト７２の長さは、固定ポスト取付溝部７０の有効長さより長く、従って、ドーターボード３４に対するコネクタハウジング５４及びドーターボードコネクタ装置２８の浮動が矢印「Ｅ」で示すように与えられる。この浮動は、上記の「Ｙ」方向であり、即ち、ドーターボード３４に対してほぼ垂直で且つ両矢印「Ａ」及び「Ｚ」で示すコネクタ装置２６、２８の嵌合方向に対してほぼ垂直である。
【００１６】
図８ないし１３は、本発明の第２の実施形態を示すもので、コネクタシステム２４Ａは、バックプレーンコネクタ装置２６Ａと、これに嵌合し得るドーターボードコネクタ装置２８Ａとを備えている。バックプレーンコネクタ装置２６Ａは、マザーボード３２の一対の穴３０に互いに上下に取り付けられた一対のアダプター３６を備えている。ドーターボードコネクタ装置２８Ａは、ドーターボード３４の上面に互いに上下に積層された一対のコネクタハウジング５４を備えている。その他の点では、コネクタ装置２６Ａ及び２８Ａは、図１ないし７を参照して上述したコネクタ装置２６及び２８と同じである。従って、図８ないし１３では、図１ないし７の第１実施形態で述べた同様の部分を示すのに同じ参照番号が使用される。これらの部分については、説明を繰り返さない。
【００１７】
図８ないし１３の第２実施形態と、図１ないし７の第１実施形態との間の主たる相違は、単一の細長い固定ポスト７２Ａが、ドーターボードコネクタ装置２８Ａの一対のコネクタハウジング５４の一対の垂直方向に整列された固定ポスト取付溝部７０にスナップ嵌合されることである。一対の細長い固定ポスト７２Ａは、コネクタハウジング５４をドーターボード３４に取り付けると共に、コネクタハウジング５４を互いに上下にそして離間関係で積層するという二重の機能を果たす。
この第２実施形態の細長い固定ポスト７２Ａは、図１１ないし１３に最も良く示されている。第１実施形態の固定ポスト７２と同様に、第２実施形態の各固定ポスト７２Ａは、細長く、ほぼ円柱状であり、そして一対の大きなヘッド７８をその両端に含んでいる。各固定ポスト７２Ａの下端は、８０で示すように内部にネジが切られており、ここにボルト形態の固定具７４を受け入れ、固定ポスト７２Ａをドーターボード３４の上面に締め付ける。各固定ポスト７２Ａの上端は六角形のソケット８２を含み、これは、ボルト形態の固定具７４を固定ポスト７２Ａにねじ込むとき又は必要に応じてドーターボードコネクタ装置２８Ａをドーターボード３４から分解するときにレンチを受け入れて固定ポスト７２Ａの回転を防止する。固定ポスト７２Ａが、一対の積層されたコネクタハウジング５４を受け入れるために固定ポスト７２より長いこと以外に、第２実施形態の各固定ポスト７２Ａは、その両端間のほぼ等距離のところで外方に突出するリング状のフランジ９６を備えている。図１３に最も良く示すように、フランジ９６は、一対のコネクタハウジング５４をドーターボード３４上で互いに垂直方向に離間するためのスペーサとして働く。
【００１８】
第１実施形態と同様に、第２実施形態の固定ポスト７２Ａは、固定ポスト取付溝部７０に対し、「Ｘ」、「Ｙ」及び「Ｚ」方向に浮動を与える大きさにされる。更に、両コネクタハウジング５４は、モジュール４２と共に又はそれを伴わずに、一対の固定ポスト７２Ａに組み付けて、操作及び取り扱いのためのサブ組立体を構成することができる。
図１４及び１５は、図８−１３の第２実施形態と同様に、ドーターボードコネクタ装置２８Ｂが、一対のコネクタハウジング５４をドーターボード３４上に互いに上下に積層するように構成された本発明の第３実施形態を示す。この場合も、図１４及び１５では、図１ないし１３の第１及び第２実施形態に関連して述べた同様の部分を示すのに同じ参照番号が使用される。更に、これら同様の部分の説明は繰り返さない。
【００１９】
図１４及び１５の第３実施形態において、第１実施形態の一対の細長い固定ポスト７２が各コネクタハウジング５４の固定ポスト取付溝部７０にスナップ嵌合されて、操作及び取り扱いのための一対のサブ組立体が形成されると共に、ドーターボード３４に対し「Ｘ」、「Ｙ」及び「Ｚ」方向にコネクタハウジング５４の浮動を与える。下部のコネクタハウジング５４は、図１ないし７の第１実施形態に関連して上述したのと同様に、ドーターボード３４に接続される。
しかしながら、図１５には、下部のコネクタハウジング５４の上に離間して上部のコネクタハウジング５４を取り付けるためのブリッジブラケット９８が最も良く示されている。このブリッジブラケット９８は、逆Ｕ字型の構成にされ、一対の垂下脚部９８ａがブリッジ部分９８ｂで接合されたものである。フランジ９８ｃは、各脚部９８ａの下縁から外方に突出し、そして一対の穴１００を含む。これらの穴は、ドーターボード３４から上方に突出する一対のボルト状固定具１０２を受け入れる。これらの穴１００は、外部にネジの切られた固定具１０２を受け入れるために内部にネジが切られている。一対の外部にネジの切られた固定具７４がブラケット９８のブリッジ部分９８ｂを経て上方に延び、上部コネクタハウジング５４の固定ポスト７２にねじ込まれる。
【００２０】
ドーターボードコネクタ装置２８Ｂを組み立てるときには、図１ないし７の第１実施形態の場合と同様に、図１５に示すように、下部のコネクタハウジング５４がドーターボード３４に組み立てられる。次いで、固定具１０２を使用して、ブリッジブラケット９８がドーターボード３４に組み立てられる。次いで、上部のコネクタハウジング５４がブリッジブラケット９８の上部に取り付けられる。別の組み立て手順においては、ドーターボード３４に取り付ける前に、ブリッジブラケット９８のブリッジ部分９８ｂを通る固定具７４を使用してブリッジブラケット９８を上部のコネクタハウジング５４に組み付けることもできる。従って、ブリッジブラケット９８及び上部のコネクタハウジング５４が付加的なサブ組立体を構成し、操作及び取り扱いを容易にすると共に、ブリッジブラケット９８内から固定具７４を容易にねじ込むことができる。
【００２１】
図８−１３の第２実施形態、又は図１４及び１５の第３実施形態のいずれにおいても、ドーターボード３４即ち基板上の付加的なスペースを使用しなくても、ドーターボード３４において高密度の相互接続を行えることが明らかである。図８−１３の第２実施形態では、ドーターボード３４において単一のコネクタハウジングの場合と同じ量のスペースを使用して、２つ以上のコネクタハウジング５４を互いに上下に積層することができる。コネクタは、互いに離間され、そして独立して機能し、基板即ちドーターボード３４上のスペースを増加せずに接続密度を高めることができる。
【図面の簡単な説明】
【図１】  本発明の第１の実施形態によるコネクタシステムを非嵌合状態で示した斜視図である。
【図２】  図１のコネクタシステムの側面である。
【図３】  図１のコネクタシステムを嵌合状態で示した斜視図である。
【図４】  図１及び２の右側に示されたドーターボードコネクタ装置の分解斜視図である。
【図５Ａ】  固定ポストの側面図である。
【図５Ｂ】  固定ポストの上面図である。
【図５Ｃ】  固定ポストの軸方向断面図である。
【図６】  ドーターボードコネクタ装置の上面図で、基板に対してほぼ平行な方向におけるドーターボードコネクタ装置と基板との間の浮動の量を示すための部分破断図である。
【図７】  ドーターボードコネクタ装置の側面図で、基板に対してほぼ垂直な方向におけるドーターボードコネクタ装置と基板との間の浮動の量を示すための部分破断断面図である。
【図８】  図１と同様の図であるが、本発明の第２の実施形態を示す図である。
【図９】  図２と同様の図であるが、本発明の第２の実施形態を示す図である。
【図１０】  図３と同様の図であるが、本発明の第２の実施形態を示す図である。
【図１１】  図４と同様の図であるが、本発明の第２の実施形態を示す図である。
【図１２Ａ】  図５Ａと同様の図であるが、本発明の第２の実施形態を示す図である。
【図１２Ｂ】  図５Ｂと同様の図であるが、本発明の第２の実施形態を示す図である。
【図１２Ｃ】  図５Ｃと同様の図であるが、本発明の第２の実施形態を示す図である。
【図１３】  図７と同様の図であるが、本発明の第２の実施形態を示す図である。
【図１４】  図１及び８と同様の図であるが、本発明の第３の実施形態を示す図である。
【図１５】  図４及び１１と同様の図であるが、本発明の第３の実施形態を示す図である。
【図１】
0003780943.tif 000002
【図２】
0003780943.tif 000003
【図３】
0003780943.tif 000004
【図４】
0003780943.tif 000005
【図５Ａ】
0003780943.tif 000006
【図５Ｂ】
0003780943.tif 000007
【図５Ｃ】
0003780943.tif 000008
【図６】
0003780943.tif 000009
【図７】
0003780943.tif 000010
【図８】
0003780943.tif 000011
【図９】
0003780943.tif 000012
【図１０】
0003780943.tif 000013
【図１１】
0003780943.tif 000014
【図１２Ａ】
0003780943.tif 000015
【図１２Ｂ】
0003780943.tif 000016
【図１２Ｃ】
0003780943.tif 000017
【図１３】
0003780943.tif 000018
【図１４】
0003780943.tif 000019
【図１５】
0003780943.tif 000020